(57)【要約】【課題】ユーザの要望に応えるような再生音量レベルの制御を可能にする。【解決手段】複数の音源の中から１つの音源を選択する選択指令を操作に応じて入力するキー入力部１と、選択指令に応じた音源を選択し、選択した音源において現在再生中の曲の音声情報の再生音量レベルと、次に再生する曲の音声情報の再生音量レベルとのレベル差ΔＰを算出して、そのレベル差に応じて設定した調整率で、次に再生する音声情報の再生音量レベルを調整するマイクロコンピュータ６、レベル調整率設定ライブラリ１０、レベル調整パターン発生部１１、音量調整器１３とを備えている。【選択図】        図１
2004320628.tif 000002
【特許請求の範囲】
【請求項１】
曲の音楽情報や受信した放送情報からなる音声情報を供給する複数の音源の中から１の音源を選択する選択指令を入力する操作手段と、
前記選択指令に応じた音源を選択する音源選択手段と、
前記音源選択手段によって選択されている音源において現在再生中の第１の音声情報の再生音量レベルと次に再生する第２の音声情報の再生音量レベルとのレベル差を算出して、そのレベル差に応じて設定した調整率で前記第２の音声情報の再生音量レベルを調整する音量調整手段と
を備えた音響装置。
【請求項２】
音量調整手段は、第１の音声情報の再生が終了して第２の音声情報に切り替わる場合には、前記第２の音声情報の一部を再生後、再生位置を戻して再生音量レベルを検出することを特徴とする請求項１記載の音響装置。
【請求項３】
音源から提供される音声情報を記憶する情報記憶手段を備え、音量調整手段は、第１の音声情報から第２の音声情報に切り替わる場合には、前記情報記憶手段に記憶されている前記第２の音声情報の再生音量レベルを読み出してレベル差を算出することを特徴とする請求項１記載の音響装置。
【請求項４】
再生中の音声情報の再生音量レベルを記憶する再生音量レベル記憶手段を備え、音量調整手段は、第１の音声情報から過去に再生して前記再生音量レベル記憶手段に再生音量レベルを保存した第２の音声情報に切り替わる場合には、前記再生音量レベル記憶手段に記憶されている前記第２の音声情報の再生音量レベルを読み出して前記第１の音声情報の再生音量レベルとのレベル差を算出することを特徴とする請求項１記載の音響装置。
【請求項５】
音源から提供される音声情報を記憶する情報記憶手段および再生中の音声情報の再生音量レベルを記憶する再生音量レベル記憶手段を備え、音量調整手段は、第１の音声情報から過去に再生して前記再生音量レベル記憶手段に再生音量レベルを保存した第２の音声情報に切り替わる場合には、前記情報記憶手段に記憶されている前記第１の音声情報の再生音量レベルを読み出すとともに前記再生音量レベル記憶手段に記憶されている前記第２の音声情報の再生音量レベルを読み出してレベル差を算出することを特徴とする請求項１記載の音響装置。
【請求項６】
音源選択手段によって選択される複数の音源の各々に記録されている複数の音声情報の記録音量レベルを記憶する記録音量レベル記憶手段を備え、音量調整手段は、選択中の音源における第１の音声情報から前記選択中の音源又は操作手段からの選択指令に係る他の音源における第２の音声情報に切り替わる場合には、前記記録音量レベル記憶手段に記憶されている前記第１の音声情報および前記第２の音声情報の記録音量レベルを読み出してレベル差を算出することを特徴とする請求項１記載の音響装置。
【請求項７】
音源が装着されたときにその音源に記録されている音声情報を自動的に再生する自動再生制御手段を備え、音量調整手段は、前記自動再生制御手段によって再生された音声情報の再生音量レベルを検出して記録レベル記憶手段に記憶させることを特徴とする請求項６記載の音響装置。
【請求項８】
音源選択手段によって選択される複数の音源の各々に記憶されている複数の音声情報の再生音量レベルの相互間におけるレベル差を記憶するレベル差記憶手段を備え、音量調整手段は、選択中の音源における第１の音声情報から前記選択中の音源又は操作手段からの選択指令に係る他の音源における第２の音声情報に切り替わる場合には、前記レベル差記憶手段に記憶されている前記第１の音声情報および前記第２の音声情報のレベル差を読み出して前記第２の音声情報の再生音量レベルを調整することを特徴とする請求項１記載の音響装置。
【請求項９】
音量調整手段は、第１の音声情報の再生音量レベルの平均値および第２の音声情報の再生音量レベルの平均値を検出してレベル差を算出することを特徴とする請求項１記載の音響装置。
【請求項１０】
音量調整手段は、第１の音声情報の再生音量レベルの平均値および第２の音声情報の再生音量レベルの初期値を検出してレベル差を算出することを特徴とする請求項１記載の音響装置。
【請求項１１】
音量調整手段は、第１の音声情報の再生音量レベルの最終値および第２の音声情報の再生音量レベルの平均値を検出してレベル差を算出することを特徴とする請求項１記載の音響装置。
【請求項１２】
音量調整手段は、第１の音声情報の再生音量レベルの最終値および第２の音声情報の再生音量レベルの初期値を検出してレベル差を算出することを特徴とする請求項１記載の音響装置。
【請求項１３】
音量調整手段は、第１の音声情報の再生音量レベルおよび第２の音声情報の再生音量レベルのレベル差の増加に比例して増加する調整率で前記第２の音声情報の再生音量レベルを調整することを特徴とする請求項１記載の音響装置。
【請求項１４】
音量調整手段は、第１の音声情報の再生音量レベルおよび第２の音声情報の再生音量レベルのレベル差の増加の二乗に比例して増加する調整率で前記第２の音声情報の再生音量レベルを調整することを特徴とする請求項１記載の音響装置。
【請求項１５】
音量調整手段は、第１の音声情報の再生音量レベルおよび第２の音声情報の再生音量レベルのレベル差が所定値を超えた場合に一定の調整率で前記第２の音声情報の再生音量レベルを調整することを特徴とする請求項１記載の音響装置。
【請求項１６】
音量調整手段は、第１の音声情報の再生音量レベルおよび第２の音声情報の再生音量レベルのレベル差の増加に比例して段階的に増加する調整率で前記第２の音声情報の再生音量レベルを調整することを特徴とする請求項１記載の音響装置。
【請求項１７】
音量調整手段は、第１の音声情報の再生音量レベルおよび第２の音声情報の再生音量レベルのレベル差に応じて設定した調整率のレベル調整度を前記第２の音声情報の再生において維持することを特徴とする請求項１３から請求項１６のうちのいずれか１項記載の音響装置。
【請求項１８】
音量調整手段は、第１の音声情報の再生音量レベルおよび第２の音声情報の再生音量レベルのレベル差に応じて設定した調整率のレベル調整度を前記第２の音声情報の再生時間の進行に応じて漸次低下させることを特徴とする請求項１３から請求項１６のうちのいずれか１項記載の音響装置。
【発明の詳細な説明】
【０００１】
【発明の属する技術分野】
この発明は、音声情報を制御する音響装置に関するものである。
【０００２】
【従来の技術】
ＣＤ（コンパクト・ディスク）を再生するＣＤプレーヤやＣＤチェンジャなどにおいて、曲、ディスクなど記録情報の適宜の区切りごとの再生音量の傾向を自動的に調整して一定化する技術が提案されている。提案の一例であるディスク再生装置は、ディスク再生信号からその記録情報の区切り内での全体的な記録音量の傾向を検出する記録音量傾向検出手段と、前記ディスク再生信号の再生音量を可変調整する再生音量調整手段と、前記検出された記録音量の傾向に応じて前記再生音量調整手段を制御して、前記記録情報の区切りごとの全体的な再生音量の傾向を一定化する再生音量制御手段とを備えた構成になっている。この構成によれば、曲、ディスクの区切りごとの全体的な再生音量の傾向を一定化するので、いちいちアンプのボリュームを調整する必要がなくなり、使い勝手が向上する（例えば、特許文献１参照。）。
【０００３】
【特許文献１】
特開平６−３６４６０号公報（段落番号「０００６」、「０００９」）
【０００４】
【発明が解決しようとする課題】
しかしながら、ユーザは、最初に再生した音声情報（例えば、ＣＤの最初の曲又は最初に選択した曲）を再生している状態において、所望の再生音量レベルに調整した後は、次に再生する音声情報の再生音量レベルと最初に再生した音声情報の再生音量レベルとが同じ程度になることを要望するのが一般的である。ところが、記録情報の区切りごとの全体的な再生音量の傾向を一定化するような従来の構成では、そのようなユーザの要望に応えることができないという課題があった。
【０００５】
この発明は上記のような課題を解決するためになされたもので、ユーザの要望に応えるような再生音量レベルの制御が可能な音響装置を得ることを目的とする。
【０００６】
【課題を解決するための手段】
この発明に係る音響装置は、曲の音楽情報や受信した放送情報からなる音声情報を供給する複数の音源の中から１つの音源を選択する選択指令を入力する操作手段と、選択指令に応じた音源を選択する音源選択手段と、音源選択手段によって選択されている音源において現在再生中の第１の音声情報の再生音量レベルと次に再生する第２の音声情報の再生音量レベルとのレベル差を算出して、そのレベル差に応じて設定した調整率で第２の音声情報の再生音量レベルを調整する音量調整手段とを備えたものである。
【０００７】
【発明の実施の形態】
以下、この発明の一実施の形態の構成について、図を参照しながら説明する。実施の形態１．
図１は、実施の形態１における音響装置の構成を示すブロック図である。図１において、マイクロコンピュータ（音源選択手段、音量調整手段）６は、この音響装置を全体的に制御する。音源２は、Ｍ１，Ｍ２，Ｍ３，Ｍ４，Ｍ５，…，Ｍｎからなるｎ種類の音源で構成されている。これらの音源２は、例えば、曲の音楽情報を提供するＣＤやＭＤなどのディスクを装着して駆動するディスクプレーヤ、ディジタルカセットテープやアナログカセットテープを駆動するテーププレーヤ、ＡＭ放送およびＦＭ放送を受信するラジオ受信機などで構成されている。図１の例において、Ｍ１，Ｍ２，Ｍ３の音源はディジタルの音声情報を提供し、Ｍ４，Ｍ５，…，Ｍｎの音源はアナログの音声情報を提供する。
【０００８】
キー入力部（操作手段）１は、動作指令用キーやテンキーなどで構成され、ユーザの操作による電源オン、音源選択、再生開始などの種々の動作指令やデータをマイクロコンピュータ６に入力する。例えば、複数の音源の中から１つの音源を選択する選択指令をマイクロコンピュータ６に入力する。マイクロコンピュータ６は、その選択指令に応じて音源選択のための切換制御信号を生成する。入力切換回路３は、マイクロコンピュータ６からの切換制御信号に応じて、Ｍ４，Ｍ５，Ｍｎのアナログ音源から１つの音源を選択する。Ａ／Ｄコンバータ５は、この入力切換回路３から出力されるアナログ音声情報をディジタル音声情報に変換して出力する。入力切換回路４は、マイクロコンピュータ６からの切換制御信号に応じて、Ｍ１，Ｍ２，Ｍ３のディジタル音源から１つの音源を選択する。
【０００９】
音量レベル検出装置１２は、入力切換回路４から出力される音声情報又はＡ／Ｄコンバータ５から出力される音声情報のいずれか一方の音声情報をマイクロコンピュータ６の選択制御信号に応じて選択して出力するとともに、その選択した音声情報の再生音量レベルを検出してマイクロコンピュータ６に入力する。マイクロコンピュータ６において、制御計算装置７は、音量レベル検出装置１２から入力される再生音量レベルに対して、マイクロコンピュータ６での演算が可能になるように制御計算を行う。メモリ８は、Ｄａｔａ１およびＤａｔａ２の記憶エリアを持ち、制御計算装置７から出力される再生音量レベルのデータを記憶する。例えば、ＣＤの曲Ａの再生音量レベルをＤａｔａ１に記憶し、曲Ａの次に再生される曲Ｂの再生音量レベルをＤａｔａ２に記憶する。
【００１０】
引算器９は、メモリ８のＤａｔａ１の再生音量レベルからＤａｔａ２の再生音量レベルを引き算してレベル差を算出する。レベル調整率設定ライブラリ（音量調整手段）１０は、レベル差に対応する音量調整の調整率のライブラリ（テーブル）を持ち、引算器９からのレベル差に応じてレベル調整率を設定する。レベル調整パターン発生部（音量調整手段）１１は、レベル調整率設定ライブラリ１０で設定されたレベル調整率のパターンを、引算器９からのレベル差に応じて設定する。
【００１１】
音量調整器（音量調整手段）１３は、音量レベル検出装置１２から出力される音声情報に対して、レベル調整率設定ライブラリ１０で設定されたレベル調整率、および、レベル調整パターン発生部１１で設定された調整パターンに応じて音量調整を行う。アンプ１４は、音量調整器１３において音量調整された音声情報に対して、キー入力部１のボリューム調整指令に応じたマイクロコンピュータ６からの増幅制御信号による増幅率で増幅してスピーカ１５から発音させる。なお、アンプ１４内には、Ｄ／Ａコンバータやフィルタなどが含まれているが、周知の内容であるので図面および説明は省略する。
【００１２】
次に、動作について説明する。
図２は、マイクロコンピュータ６のメインルーチンのフローチャートである。キー入力部１の操作で電源オンになると、まず、イニシャライズ処理を行って（ステップＳＴ１）、その後、キー入力部１の操作を検出する操作検出処理（ステップＳＴ２）、音源から供給される音声情報を再生する再生処理（ステップＳＴ３）、ＣＤ，ＭＤおよびカセットテープなどのメディアの着脱処理、ラジオ受信機のチューニング処理、表示処理などのその他の処理（ステップＳＴ４）を繰り返し実行する。
【００１３】
図３は、図２のメインルーチンにおけるイニシャライズ処理のフローチャートである。アンプ１４からの出力をオフにして、スピーカ１５の発音を停止するミュート処理を行い（ステップＳＴ５）、電源オンの以前に選択されている現在の音源の番号をレジスタＭ（ａ）にストアし（ステップＳＴ６）、現在のトラックの番号をレジスタＴＲ（ａ）にストアし（ステップＳＴ７）、設定されている現在のボリューム値をレジスタＶＯＬにストアする（ステップＳＴ８）。そして、図２のメインルーチンに戻る。
【００１４】
図４は、図２のメインルーチンにおける操作検出処理のフローチャートである。いずれかの音源Ｍｉが選択されたか否かを判別し（ステップＳＴ１０）、選択されたときは、その音源Ｍｉの番号を次に再生する音源を指定するレジスタＭ（ｂ）にストアする（ステップＳＴ１２）。そして、音源（モード）変更を示すフラグＭＯＤＥＦを「１」にセットする（ステップＳＴ１３）。次に、ディスクの曲を選択する操作で、いずれかの曲の番号であるトラックＴＲ（ｊ）が新たに選択されたか否かを判別し（ステップＳＴ１４）、選択されたトラックＴＲ（ｊ）の番号をレジスタＴＲ（ｂ）にストアする（ステップＳＴ１６）。そして、トラック変更を示すフラグＴＲＡＣＫＦを「１」にセットする（ステップＳＴ１７）。
【００１５】
次に、再生開始のスタートキーがオンされたか否かを判別し（ステップＳＴ１８）、このキーがオンされたときは再生開始のフラグＳＴＦを「１」にセットする（ステップＳＴ１９）。また、再生中にストップキーがオンされたか否かを判別し（ステップＳＴ２０）、このキーがオンされたときはフラグＳＴＦを「０」にリセットする（ステップＳＴ２１）。次に、ボリューム変更がされたか否かを判別し（ステップＳＴ２２）、変更されたときはレジスタＶＯＬにその変更されたボリューム値をストアする（ステップＳＴ２３）。次に、ＣＤ，ＭＤ、カセットテープなどのイジェクト操作、ラジオ受信機のバンド切換操作およびチューニング操作などのその他の操作検出を行って（ステップＳＴ２４）、図２のメインルーチンに戻る。
【００１６】
図５は、メインルーチンにおける再生処理のフローチャートである。フラグＭＯＤＥＦが「０（音源変更なし）」であるか否かを判別し（ステップＳＴ２５）、このフラグが「０」である場合には、現在の音源を指定するレジスタＭ（ａ）の音源番号はラジオであるか否かを判別する（ステップＳＴ２６）。Ｍａがラジオでない場合、すなわち、ＭａがＣＤやＭＤなどのディスクの音源又はカセットテープの音源である場合には、フラグＳＴＦが「１（再生）」であるか否かを判別する（ステップＳＴ２７）。このフラグＳＴＦが「０（再生停止）」である場合には、再生を停止して（ステップＳＴ２８）、図２のメインルーチンに戻る。
【００１７】
一方、このフラグＳＴＦが「１」である場合には、フラグＴＲＡＣＫＦが「０（曲変更なし）」であるか否かを判別する（ステップＳＴ２９）。このフラグが「０」である場合には、ＶＯＬのボリューム値によりアンプ１４の利得を調整する（ステップＳＴ３０）。次に、ミュート解除処理を行って（ステップＳＴ３１）、Ｍａの番号の音源を再生する（ステップＳＴ３２）。すなわち、電源オンの状態で、例えば、ＣＤが選択されている場合において、スタートキーがオンされたときは、ＴＲ（ａ）には最初の曲番号がストアされているので、ＣＤの最初の曲を再生する。
【００１８】
次に、Ｍａはディスクであるか否かを判別し（ステップＳＴ３３）、ディスクである場合には、トラック（曲）が終了したか否かを判別し（ステップＳＴ３４）、終了していない場合には、ステップＳＴ３２における再生を続行する。トラックが終了したときは、次のトラックがあるか否かを判別し（ステップＳＴ３５）、次のトラックがある場合には、フラグＴＲＡＣＫＦを「１（曲変更）」にセットする（ステップＳＴ３６）。フラグをセットした後、若しくは、次のトラックがない場合、又は、ステップＳＴ３３における判別でＭａがディスクでなくカセットテープである場合には、図２のメインルーチンに戻る。
【００１９】
ステップＳＴ２６における判別で、Ｍａの音源がラジオである場合には、ミュート解除がされたか否かを判別する（ステップＳＴ３７）。最初はイニシャライズ処理においてミュート処理がされている。この場合には、ミュート解除処理を行って（ステップＳＴ３１）、Ｍａの音源であるラジオを再生する（ステップＳＴ３２）。ミュートが解除された後は、ステップＳＴ３２の再生を継続する。すなわち、音源としてラジオが選択された場合には、音源の変更がない限りラジオを再生する。
【００２０】
ステップＳＴ２５における判別で、フラグＭＯＤＥＦが「１（音源変更）」である場合には、音源変更に基づくＭ音量調整処理を実行する（ステップＳＴ３８）。また、ステップＳＴ２９における判別で、フラグＴＲＡＣＫＦが「１（曲変更）」である場合には、曲（トラック）変更に基づくＴＲ音量調整処理を実行する（ステップＳＴ３９）。
【００２１】
図６は、図５の再生処理におけるステップＳＴ３８のＭ音量調整処理のフローチャートである。まず、一定時間ごとのタイマインタラプトごとにインクリメントされるタイマレジスタＴの値を「０」にクリアする（ステップＳＴ４０）。そして、現在の音源であるＭａの音量レベルを検出し（ステップＳＴ４１）、Ｔの値が所定時間ＴＡに達したか否かを判別する（ステップＳＴ４２）。達していない場合には、ステップＳＴ４１の音量レベル検出を続行する。Ｔの値がＴＡに達したときは、ＴＡの時間内での平均検出レベルを算出して、メモリ８のＤａｔａ１の記憶エリアにストアする（ステップＳＴ４３）。
【００２２】
次に、音源をＭｂに切り替える（ステップＳＴ４４）。すなわち、キー入力部１によって次に再生する音源Ｍｉとして指定された音源に切り替える。このときＭｂはラジオであるか否かを判別する（ステップＳＴ４５）。ラジオでない場合、すなわち、ディスク又はテープである場合には、光ピックアップ又はテープを早送りして、音源Ｍｂの音声情報の開始位置を検出する頭出し処理を行う（ステップＳＴ４６）。この頭出し処理の後、又は、音源Ｍｂがラジオである場合には、タイマレジスタＴの値を「０」にクリアする（ステップＳＴ４７）。そして、音源Ｍｂの音量レベルを検出し（ステップＳＴ４８）、Ｔの値が所定時間ＴＢに達したか否かを判別する（ステップＳＴ４９）。達していない場合には、ステップＳＴ４８の音量レベル検出を続行する。Ｔの値がＴＢに達したときは、ＴＢの時間内での平均検出レベルを算出して、メモリ８のＤａｔａ２の記憶エリアにストアする（ステップＳＴ５０）。
【００２３】
次に、Ｄａｔａ１の平均検出レベルからＤａｔａ２の平均検出レベルを減算して、レベル差ΔＰを算出する（ステップＳＴ５１）。そして、算出したレベル差ΔＰに応じて音量調整を行う（ステップＳＴ５２）。すなわち、図１において、引算器９からのΔＰをレベル調整率設定ライブラリ１０およびレベル調整パターン発生部１１に入力して、音量レベル検出装置１２から音量調整器１３に入力されるＭｂの音源の音声情報に対して音量調整を行う。例えば、ある曲ＡにおけるＤａｔａ１の平均検出レベルが７０ｄＢであり、次に再生する曲ＢにおけるＤａｔａ２の平均検出レベルが４０ｄＢである場合には、そのレベル差ΔＰは３０ｄＢであるので、曲Ｂの再生音量レベルを３０ｄＢだけ増幅する音量調整を行う。音量調整の後は、フラグＭＯＤＥＦを「０」にリセットする（ステップＳＴ５３）。そして、図５の再生処理のフローチャートに戻る。
なお、図には示していないが、ステップＳＴ４６の頭出し処理において、ＴＢの時間内での平均検出レベルを算出してＤａｔａ２にストアした後は、実際の再生開始に備えて、早送りした分だけ光ピックアップ又はカセットテープを戻す処理が必要である。
【００２４】
図７は、図５の再生処理におけるステップＳＴ３９のＴＲ音量調整処理のフローチャートである。この処理は、ＣＤやＭＤのディスクの再生におけるトラック（曲）の変更に伴うものである。ただし、この場合においては、ディスクの再生を例に採ってＴＲ音量調整処理を説明する。まず、現在のトラックＴＲ（ａ）の再生が終了しているか否かを判別する（ステップＳＴ５４）。終了している場合には、そのトラックにおける最後の所定時間ＴＡ分のアドレスだけ読み出しアドレスＡＤを戻す（ステップＳＴ５５）。一方、現在のトラックＴＲ（ａ）の再生が終了していない場合、すなわち、トラックＴＲ（ａ）の再生の途中でキー入力部１からトラック変更の操作がされた場合には、ステップＳＴ５５の処理は不要である。
【００２５】
次に、一定時間ごとのタイマインタラプトごとにインクリメントされるタイマレジスタＴの値を「０」にクリアする（ステップＳＴ５６）。そして、現在のトラックＴＲ（ａ）の音量レベルを検出し（ステップＳＴ５７）、Ｔの値が所定時間ＴＡに達したか否かを判別する（ステップＳＴ５８）。達していない場合には、ステップＳＴ５７の音量レベル検出を続行する。Ｔの値がＴＡに達したときは、ＴＡの時間内での平均検出レベルを算出して、メモリ８のＤａｔａ１の記憶エリアにストアする（ステップＳＴ５９）。
【００２６】
次に、トラックＴＲ（ｂ）の頭出し処理を行う（ステップＳＴ６０）。次に、タイマレジスタＴの値を「０」にクリアする（ステップＳＴ６１）。そして、音源Ｍｂの音量レベルを検出し（ステップＳＴ６２）、Ｔの値が所定時間ＴＢに達したか否かを判別する（ステップＳＴ６３）。達していない場合には、ステップＳＴ６２の音量レベル検出を続行する。Ｔの値がＴＢに達したときは、ＴＢの時間内での平均検出レベルを算出して、メモリ８のＤａｔａ２の記憶エリアにストアする（ステップＳＴ６４）。
【００２７】
次に、Ｄａｔａ１の平均検出レベルからＤａｔａ２の平均検出レベルを減算して、レベル差ΔＰを算出する（ステップＳＴ６５）。そして、算出したレベル差ΔＰに応じて音量調整を行う（ステップＳＴ６６）。すなわち、図１において、引算器９からのΔＰをレベル調整率設定ライブラリ１０およびレベル調整パターン発生部１１に入力して、音量レベル検出装置１２から音量調整器１３に入力されるＭｂの音源の音声情報に対して音量調整を行う。この後、フラグＴＲＡＣＫＦを「０」にリセットする（ステップＳＴ６７）。そして、図５の再生処理のフローチャートに戻る。
【００２８】
以上のように、この実施の形態１によれば、曲の音楽情報や受信した放送情報からなる音声情報を供給する複数の音源Ｍ１ないしＭｎの中から１つの音源を選択する選択指令を操作に応じて入力する操作手段であるキー入力部１と、選択指令に応じた音源Ｍｉを選択し、選択した音源において現在再生中の曲（トラック）ＴＲ（ａ）の音声情報（第１の音声情報）の再生音量レベルと、次に再生する曲（トラック）ＴＲ（ａ）の音声情報（第２の音声情報）の再生音量レベルとのレベル差ΔＰを算出して、そのレベル差ΔＰに応じて設定した調整率で、次に再生する音声情報の再生音量レベルを調整するマイクロコンピュータ６、レベル調整率設定ライブラリ１０、レベル調整パターン発生部１１、および音量調整器１３からなる音量調整手段とを備えたので、所望の再生音量レベルに調整した後は、次に再生する音声情報の再生音量レベルを前に再生した音声情報の再生音量レベルに合わせることで、ユーザの要望に応えるような再生音量レベルの制御が可能になるという効果がある。
【００２９】
この場合において、マイクロコンピュータ６は、現在再生中の曲の音声情報の再生が終了して、次に再生する曲の音声情報に切り替わる場合には、再生する予定の曲の先頭部を再生し、再生音量レベルを検出後、再生位置を戻して再生音量レベルを検出するので、２つの曲間の再生音量レベルのレベル差を容易に算出できるという効果がある。
【００３０】
実施の形態２．
図８は、この発明の実施の形態２における音響制御装置の構成を示すブロック図である。図８において、図１に示した実施の形態１の構成要素と同じものは、同一の符号で表し、その説明は省略する。図８においては、再生用メモリコントローラ１６が新たに追加されている。この再生用メモリコントローラ１６は、ディジタル音源Ｍ１ないしＭ３のうち、入力切換回路４から出力される１つの音源の音声情報、又は、ラジオの音源を除くアナログ音源Ｍ４ないしＭｎのうち、入力切換回路３から出力された１つの音源でＡ／Ｄコンバータ５でディジタルに変換された音声情報を記憶する。
【００３１】
次に、動作について説明する。
図８におけるマイクロコンピュータ６のメインルーチンおよびサブルーチンのフローチャートは、実施の形態１のフローチャートとほぼ同じである。ただし、この実施の形態２においては、例えば、選択されているディスク音源において、曲Ａの音声情報から曲Ｂの音声情報に切り替わる場合には、曲Ａの音声情報が再生用メモリコントローラ１６に記憶されているので、その情報を伸長して再生音量レベルを得ることができる。
【００３２】
以上のように、この実施の形態２によれば、実施の形態１と同様にユーザの要望に応えるような再生音量レベルの制御が可能になるという効果があるとともに、音源から提供される音声情報を記憶する再生用メモリコントローラ１６を備え、マイクロコンピュータ６は、再生中の音声情報から次に再生する音声情報に再生が切り替わる場合には、再生用メモリコントローラ１６に記憶されている再生中の音声情報の再生音量レベルを読み出して、次に再生する音声情報の再生音量レベルとのレベル差を算出する。したがって、例えば、曲Ａから曲Ｂに切り替わる場合には、曲Ｂの再生音量レベルを検出するために光ピックアップを戻す機械的な動作は必要なく、電気的な処理だけで曲Ｂの再生音量レベルを再生用メモリコントローラ１６から読み出して、曲Ａと曲Ｂとのレベル差ΔＰを算出することにより、極めて短時間に音量調整ができるという効果がある。
【００３３】
実施の形態３．
図９は、この発明の実施の形態３における音響制御装置の構成を示すブロック図である。図９において、図１に示した実施の形態１の構成要素と同じものは、同一の符号で表し、その説明は省略する。図９においては、再生音量レベル記憶装置１７が新たに追加されている。この再生音量レベル記憶装置１７は、再生中の音声情報の再生音量レベルを保存する。すなわち、音量レベル検出装置１２によって検出された再生中の音声情報の再生音量レベルは、制御計算装置７に入力されるとともに、再生音量レベル記憶装置１７にも入力されて保存される。
【００３４】
次に、動作について説明する。
図１０は、実施の形態３におけるマイクロコンピュータ６の再生処理のフローチャートである。このフローチャートにおいて、図５に示した実施の形態１における再生処理のフローチャートと同じものは、同一の符号で表し、その説明は省略する。図１０においては、ステップＳＴ６８ないしステップＳＴ７１が追加されている。
【００３５】
ステップＳＴ３２において、選択中のいずれかの音源Ｍａの再生が行われると、タイマレジスタＴの値を「０」にクリアして（ステップＳＴ６８）、Ｍａの再生音量レベルを検出する（ステップＳＴ６９）。そして、Ｔの値が所定時間ＴＡに達したか否かを判別し（ステップＳＴ７０）、ＴＡに達したときには、その平均検出レベルを再生音量レベル記憶装置１７に保存する（ステップＳＴ７１）。例えば、音源Ｍ１の音声情報を再生中、その再生音量レベルを再生音量レベル記憶装置１７に保存した後に、音源Ｍ２の音声情報を再生し、再び音源Ｍ１の音声情報を再生する場合には、すでに音源Ｍ１の音声情報の平均検出レベルは再生音量レベル記憶装置１７に保存されているので、音源Ｍ２の音声情報の平均検出レベルだけをＤａｔａ１にストアするだけでよい。この場合には、Ｄａｔａ１の平均検出レベルから再生音量レベル記憶装置１７に保存されている平均検出レベルを減算して、レベル差ΔＰを算出できる。
【００３６】
以上のように、この実施の形態３によれば、実施の形態１と同様にユーザの要望に応えるような再生音量レベルの制御が可能になるという効果があるとともに、再生中の音声情報の再生音量レベルを記憶する再生音量レベル記憶装置（再生音量レベル記憶手段）１７をさらに備え、マイクロコンピュータ６は、再生中の音声情報から過去に再生して再生音量レベルを再生音量レベル記憶装置１７に保存した音声情報に再生が切り替わる場合には、再生音量レベル記憶装置１７に記憶されている次に再生する音声情報の再生音量レベルを読み出して、再生中の音声情報の再生音量レベルとのレベル差ΔＰを算出する。したがって、例えば、曲Ａから曲Ｂに切り替わる場合には、曲Ｂの再生音量レベルを検出するために光ピックアップを移動して曲Ｂの頭出しを行う動作は必要なく、曲Ａと曲Ｂとのレベル差ΔＰを算出することにより、曲Ｂの頭出し処理を瞬時に処理でき、極めて短時間に音量調整ができるという効果がある。
【００３７】
実施の形態４．
図１１は、この発明の実施の形態４における音響制御装置の構成を示すブロック図である。図１１において、図１に示した実施の形態１の構成要素と同じものは、同一の符号で表し、その説明は省略する。図１１においては、再生用メモリコントローラ１６および再生音量レベル記憶装置１７が新たに追加されている。すなわち、図１１の構成は、図８に示した実施の形態２の構成と、図９に示した実施の形態３の構成とを合成した構成になっている。
【００３８】
次に、動作について説明する。
再生中の音声情報、例えば、曲Ａから次に再生する音声情報、例えば、曲Ｂに切り替わる場合には、曲Ａの音声情報の平均検出レベルは再生用メモリコントローラ１６から読み出すことができるので、曲Ｂの音声情報の平均検出レベルが再生音量レベル記憶装置１７に保存されている場合には、その平均検出レベルも読み出すことができる。したがって、これら２つの音声情報の再生音量レベルを検出してメモリ８のＤａｔａ１およびＤａｔａ２にストアする処理が必要でなくなる。
【００３９】
以上のように、この実施の形態４によれば、実施の形態１と同様にユーザの要望に応えるような再生音量レベルの制御が可能になるという効果があるとともに、音源から提供される音声情報を記憶する再生用メモリコントローラ１６、および、再生中の音声情報の再生音量レベルを記憶する再生音量レベル記憶装置１７を備え、マイクロコンピュータ６は、再生中の音声情報から過去に再生して再生音量レベルを再生音量レベル記憶装置１７に保存した音声情報に再生が切り替わる場合には、再生用メモリコントローラ１６に記憶されている再生中の音声情報の再生音量レベルを読み出すとともに、再生音量レベル記憶装置１７に記憶されている次に再生する音声情報の再生音量レベルを読み出してレベル差を算出する。したがって、例えば、曲Ａから曲Ｂに切り替わる場合には、再生中の曲Ａに対しては、電気的な処理だけで曲Ａの再生音量レベルを読み出し、曲Ｂの再生音量レベルを検出するために光ピックアップを移動して曲Ｂの頭出しを行う動作は必要なく、曲Ａと曲Ｂとのレベル差ΔＰを算出することにより、曲Ａの頭出し処理を瞬時に処理でき、極めて短時間に音量調整ができるという効果がある。
【００４０】
実施の形態５．
図１２は、この発明の実施の形態５における音響制御装置の構成を示すブロック図である。図１２において、図１に示した実施の形態１の構成要素と同じものは、同一の符号で表し、その説明は省略する。図１２においては、自動再生制御回路（自動再生制御手段）１８が新たに追加されている。また、メモリ８において、音源Ｍ１ないしＭｎのそれぞれに対応する記憶エリアであるＤａｔａ１ないしＤａｔａｎが設けられている。
【００４１】
次に、動作について説明する。
自動再生制御回路１８は、イニシャライズにおけるマイクロコンピュータ６の処理に応じて、各音源Ｍ１ないしＭｎの音声情報を自動的に再生する。説明を簡便にするために、各音源をすべてディスクとし、各ディスクに複数の曲（トラック）が記録されている場合を想定する。自動再生制御回路１８は、電源オン又はディスクが装着されたときに、ミュート状態で各ディスクのすべてのトラックを自動的に再生して、各トラックの音声情報の記録音量レベルを検出し、メモリ８における各音源および各トラックに対応する記憶エリアに、それぞれの平均検出レベルをストアする。図１３は、メモリ８にストアされた平均検出レベルのデータを示す図である。
【００４２】
実施の形態５における再生処理において、マイクロコンピュータ６は、キー入力部１の操作によって、再生中の任意の音源の任意のトラックから、同じ音源又は他の音源における他のトラックの再生に切り替える場合には、再生中のトラックの音声情報の記録音量レベルをメモリ８から読み出し、次に再生するトラックの音声情報の記録音量レベルをメモリ８から読み出し、これら２つの記録音量レベルのレベル差ΔＰを算出する。
【００４３】
例えば、現在再生中のトラックが、音源Ｍ５のトラック２で、次に再生するトラックが音源２のトラック１である場合には、図１３に示したメモリ８のデータを参照して、現在再生中のトラックの音声情報の記録音量レベル「６０ｄＢ」と、次に再生するトラックの音声情報の記録音量レベル「４０ｄＢ」とを読み出す。そして、６０ｄＢから４０ｄＢを減算して、レベル差「２０ｄＢ」を算出する。そして、次に再生するトラックの音声情報の再生音量レベルを「２０ｄＢ」だけ増幅する音量調整を行う。
【００４４】
以上のように、この実施の形態５によれば、実施の形態１と同様にユーザの要望に応えるような再生音量レベルの制御が可能になるという効果があるとともに、マイクロコンピュータ６によって選択される複数の音源Ｍ１ないしＭｎの各々に記録されている複数の音声情報の記録音量レベルを記憶するメモリ（記録音量レベル記憶手段）８をさらに備え、マイクロコンピュータ６は、選択中の音源における再生中のトラックの音声情報から、他の音源における次に再生するトラックの音声情報に切り替わる場合には、メモリ８に記憶されている再生中のトラックの音声情報および次に再生するトラックの音声情報の記録音量レベルを読み出してレベル差を算出するので、極めて短時間に音量調整ができるという効果がある。
【００４５】
実施の形態６．
図１４は、この発明の実施の形態６における音響制御装置の構成を示すブロック図である。図１４において、図１に示した実施の形態１の構成要素と同じものは、同一の符号で表し、その説明は省略する。図１４においては、データベースとしてのレベル差メモリ１９が新たに追加されている。図１４には、各音源Ｍ１ないしＭｎを選択するマイクロコンピュータ６の機能としての音源選択部２０があるが、これは図１において省略されていたものであり、この音源選択部２０から音源を指定する制御信号がレベル差メモリ１９に入力される。
【００４６】
次に、動作について説明する。
この実施の形態６におけるマイクロコンピュータ６のメインルーチンは、図２に示した実施の形態１のメインルーチンとほぼ同じであるが、実施の形態６の場合には、イニシャライズ処理において、データベース処理が行われる。なお、説明を簡便にするために、音源Ｍ１ないしＭｎをすべて複数の曲すなわちトラックを記録した記録媒体とする。
【００４７】
データベース処理においては、ポインタｉによって指定される音源Ｍｉ、および、その音源Ｍｉにおいて、ポインタｊによって指定されるトラックＴＲ（ｊ）からなる配列｛Ｍ（ｉ），ＴＲ（ｊ）｝の記録音量レベルＬ（ｐ）を読み出して、メモリ８のＤａｔａ１にストアし、配列｛Ｍ（ｉ），ＴＲ（ｊ）｝とは異なる他の配列｛Ｍ（ｋ），ＴＲ（ｍ）｝の記録音量レベルＬ（ｑ）を読み出して、メモリ８のＤａｔａ２にストアする。そして、引算器９によって、Ｄａｔａ１の値からＤａｔａ２の値を減算して、レベル差ΔＰ（ｐ，ｑ）をレベル差メモリ１９にストアする。そして、２つの配列の組み合わせの中から相補関係にある配列を除いて、各配列間のレベル差をレベル差メモリ１９にストアする。
【００４８】
したがって、例えば、配列｛Ｍ（ｋ），ＴＲ（ｍ）｝の記録音量レベルＬ（ｑ）から配列｛Ｍ（ｉ），ＴＲ（ｊ）｝の記録音量レベルＬ（ｐ）を減算して、レベル差ΔＰ（ｑ，ｐ）を算出する演算処理は行わない。レベル差ΔＰ（ｑ，ｐ）はレベル差ΔＰ（ｐ，ｑ）に「−１」を乗算することで求まるからである。図１５は、レベル差メモリ１９にストアされたレベル差のデータを示す図である。マイクロコンピュータ６は、再生処理において、再生する音声情報が切り替わる場合には、このレベル差メモリ１９を参照して、対応するレベル差を読み出して音量調整を行う。
【００４９】
以上のように、この実施の形態６によれば、実施の形態１と同様にユーザの要望に応えるような再生音量レベルの制御が可能になるという効果があるとともに、マイクロコンピュータ６によって選択される複数の音源の各々に記憶されている複数の音声情報の再生音量レベルの相互間におけるレベル差を記憶するレベル差メモリ（レベル差記憶手段）１９を備え、マイクロコンピュータ６は、選択中の音源における再生中のトラックの音声情報から、次に再生するトラックの音声情報に切り替わる場合には、レベル差メモリ１９に記憶されている２つの音声情報のレベル差を読み出して、次に再生するトラックの音声情報の再生音量レベルを調整するので、極めて短時間で音量調整ができるという効果がある。
【００５０】
上記各実施の形態においては、再生中の音声情報の再生音量レベルの平均値から、次に再生する音声情報の再生音量レベルの平均値を減算して、レベル差ΔＰを算出するように構成したが、レベル差ΔＰを算出する態様は上記各実施の形態に限定されない。
【００５１】
図１６は、再生する音源がＣＤやＭＤなどのディスクの場合において、曲Ａ（トラックＡ）から曲Ｂ（トラックＢ）に再生が移行する際のレベル差ΔＰの検出する態様を示す図である。
このうち、図１６（１）は、上記各実施の形態におけるＴＲ音量調整処理のように、曲Ａの終りの所定時間ＴＡにおける平均検出レベルＰＡ（ａｖｅ）および曲Ｂの最初の所定時間ＴＢにおける平均検出レベルＰＢ（ａｖｅ）を検出して、これらのレベル差ΔＰを算出する態様を示している。
【００５２】
これに対して、図１６（２）は、曲Ａの終りの所定時間ＴＡにおける平均検出レベルＰＡ（ａｖｅ）および曲Ｂにおける再生音量レベルの初期値を検出して、これらのレベル差ΔＰを算出する態様を示している。
図１６（３）は、曲Ａにおける再生音量レベルの最終値および曲Ｂの最初の所定時間ＴＢにおける平均検出レベルＰＢ（ａｖｅ）を検出して、これらのレベル差ΔＰを算出する態様を示している。
図１６（４）は、曲Ａにおける再生音量レベルの最終値および曲Ｂにおける再生音量レベルの初期値を検出して、これらのレベル差ΔＰを算出する態様を示している。
【００５３】
また、上記各実施の形態において、レベル調整率設定ライブラリ１０において設定されるレベル調整率には、複数のバリエーションが考えられる。図１７は、各実施の形態において、設定されるレベル調整率のバリエーションを示す図である。
図１７（１）は、再生中の音声情報の再生音量レベルと次に再生する音声情報の再生音量レベルとのレベル差の増加に比例して増加する調整率により、次に再生する音声情報の再生音声レベルを調整する態様を示す図である。
図１７（２）は、再生中の音声情報の再生音量レベルと次に再生する音声情報の再生音量レベルとのレベル差の増加の二乗に比例して増加する調整率により、次に再生する音声情報の再生音声レベルを調整する態様を示す図である。
図１７（３）は、再生中の音声情報の再生音量レベルと次に再生する音声情報の再生音量レベルとのレベル差が所定値を超えた場合に一定の調整率により、次に再生する音声情報の再生音声レベルを調整する態様を示す図である。
図１７（４）は、再生中の音声情報の再生音量レベルと次に再生する音声情報の再生音量レベルとのレベル差の増加に比例して段階的に増加する調整率により、次に再生する音声情報の再生音声レベルを調整する態様を示す図である。
【００５４】
さらに、レベル調整率設定ライブラリ１０において設定されたレベル調整率に対して、レベル調整率パターン発生部１１によって時間的な推移すなわち再生時間の進行に応じたパターンが設定される。図１８は、各実施の形態において、レベル調整率に対する再生時間の進行に応じたパターンを示す図である。
図１８（１）は、再生時間の進行にかかわらず、一定のレベル調整率のパターンを示す図である。
図１８（２）は、再生時間の進行に応じてレベル調整率が漸次低下するパターンを示す図である。
【００５５】
【発明の効果】
以上のように、この発明によれば、音響制御装置を、曲の音楽情報や受信した放送情報からなる音声情報を供給する複数の音源の中から１つの音源を選択する選択指令を入力する操作手段と、選択指令に応じた音源を選択する音源選択手段と、音源選択手段によって選択されている音源において現在再生中の第１の音声情報の再生音量レベルと次に再生する第２の音声情報の再生音量レベルとのレベル差を算出して、そのレベル差に応じて設定した調整率で第２の音声情報の再生音量レベルを調整する音量調整手段とを備えた構成にしたので、ユーザの要望に応えるような再生音量レベルの制御が可能になるという効果がある。
【図面の簡単な説明】
【図１】この発明の実施の形態１における音響制御装置の構成を示すブロック図である。
【図２】図１のマイクロコンピュータによって実行されるメインルーチンのフローチャートである。
【図３】図２におけるイニシャライズ処理のフローチャートである。
【図４】図２における操作検出処理のフローチャートである。
【図５】図２における再生処理のフローチャートである。
【図６】図５におけるＭ音量調整処理のフローチャートである。
【図７】図５におけるＴＲ音量調整処理のフローチャートである。
【図８】この発明の実施の形態２における音響制御装置の構成を示すブロック図である。
【図９】この発明の実施の形態３における音響制御装置の構成を示すブロック図である。
【図１０】実施の形態３におけるマイクロコンピュータの再生処理のフローチャートである。
【図１１】この発明の実施の形態４における音響制御装置の構成を示すブロック図である。
【図１２】この発明の実施の形態５における音響制御装置の構成を示すブロック図である。
【図１３】この発明の実施の形態５においてメモリにストアされた平均検出レベルのデータを示す図である。
【図１４】この発明の実施の形態６における音響制御装置の構成を示すブロック図である。
【図１５】図１４におけるレベル差メモリに記憶されているデータ構成を示す図である。
【図１６】この発明の各実施の形態においてディスクの曲Ａから曲Ｂに再生が移行する際のレベル差ΔＰの検出する態様を示す図である。
【図１７】この発明の各実施の形態において設定されるレベル調整率のバリエーションを示す図である。
【図１８】この発明の各実施の形態におけるレベル調整率に対する再生時間の進行に応じたパターンを示す図である。
【符号の説明】
１  キー入力部（操作手段）、２  音源、３，４  入力切換回路、５  Ａ／Ｄコンバータ、６  マイクロコンピュータ（音源選択手段、音量調整手段）、７  制御計算装置、８  メモリ（記録音量レベル記憶手段）、９  引算器、１０  レベル調整率設定ライブラリ（音量調整手段）、１１  レベル調整パターン発生部（音量調整手段）、１２  音量レベル検出装置、１３  音量調整器（音量調整手段）、１４  アンプ、１５  スピーカ、１６  再生用メモリコントローラ（情報記憶手段）、１７  再生音量レベル記憶装置（再生音量レベル記憶手段）、１８自動再生制御回路（自動再生制御手段）、１９  レベル差メモリ（レベル差記憶手段）、２０  音源選択部。
【図１】
2004320628.tif 000003
【図２】
2004320628.tif 000004
【図３】
2004320628.tif 000005
【図４】
2004320628.tif 000006
【図５】
2004320628.tif 000007
【図６】
2004320628.tif 000008
【図７】
2004320628.tif 000009
【図８】
2004320628.tif 000010
【図９】
2004320628.tif 000011
【図１０】
2004320628.tif 000012
【図１１】
2004320628.tif 000013
【図１２】
2004320628.tif 000014
【図１３】
2004320628.tif 000015
【図１４】
2004320628.tif 000016
【図１５】
2004320628.tif 000017
【図１６】
2004320628.tif 000018
【図１７】
2004320628.tif 000019
【図１８】
2004320628.tif 000020